(57)【要約】【課題】パネルの位置を調節可能な新たな構造のパネル支持装置を提供する。【解決手段】パネル支持装置１１は、支持部材１３に支持されるアーム１４と、アーム１４に固定され、ねじ１８ａ，１８ｂを有する軸１８と、パネル１２の穴１２ａに嵌められ、軸１８が通される長穴２１ａを有する挿入体２１と、軸１８のねじ１８ａ，１８ｂに螺合し、パネル１２を挟む第１及び第２挟み具１９，２０と、を備える。軸１８の外周面には、挿入体２１を回り止めする平坦部１８ｃが形成される。【選択図】図２
2018087438.tif 000002
【特許請求の範囲】
【請求項１】
支持部材に支持されるアーム又は支持部材に固定され、ねじを有する軸と、
パネルの穴に嵌められ、前記軸が通される長孔を有する挿入体と、
前記軸の前記ねじに螺合し、前記パネルを挟む第１及び第２挟み具と、
を備えるパネル支持装置。
【請求項２】
前記軸の外周面には、前記挿入体を回り止めする平坦部が形成されることを特徴とする請求項１に記載のパネル支持装置。
【請求項３】
前記軸は、筒状に形成され、
前記ねじは、前記軸の外周面に形成され、前記第１挟み具が螺合する雄ねじと、前記軸の内周面に形成され、前記第２挟み具が螺合する雌ねじと、を備えることを特徴とする請求項１又は２に記載のパネル支持装置。
【請求項４】
前記ねじは、前記軸の外周面に形成され、前記第１挟み具が螺合する雄ねじと、前記軸の外周面に形成され、前記第２挟み具が螺合する雄ねじと、を備えることを特徴とする請求項１又は２に記載のパネル支持装置。
【請求項５】
前記軸が前記アームに固定されることを特徴とする請求項１ないし４のいずれか１項に記載のパネル支持装置。
【発明の詳細な説明】
【技術分野】
【０００１】
本発明は、建築物の壁面又は仕切り等を形成するガラスパネル等のパネルを支持するためのパネル支持装置に関する。
【背景技術】
【０００２】
ガラスパネルは、その透光性、採光性、シンプルでモダンな印象を与えるというデザイン性から、建築物の外壁（ガラスファサード）、建築物の内壁又は間仕切り等のインテリアに用いられている。
【０００３】
ガラスは脆性材料である。ガラスパネルにねじを加工したり、ガラスパネルをボルトで直接下地に固定したりするのは困難であるから、ガラスパネルはパネル支持装置に支持される。パネル支持装置の一種として、特許文献１には、ガラスの位置を調節可能なパネル支持装置が開示されている。
【０００４】
図９に示すように、このパネル支持装置は、支柱に固定されるアーム１と、アーム１の長穴１ａに嵌められる鍔付きボルト２と、鍔付きボルト２に螺合する２枚の円盤状のナット３，４と、２枚目のナット４との間で緩衝材５，６を介してガラスパネルを挟む押さえ金具７と、ガラスパネルの穴に嵌められる保護チューブ８と、を備える。
【０００５】
鍔付きボルト２をアーム１の長穴１ａの長さ方向に移動させれば、ガラスパネルの左右方向の位置を調節できる。左右方向の位置調整後、１枚目のナット３と鍔付きボルト２の鍔との間でアーム１を挟めば、ガラスパネルの左右方向の位置を固定することができる。また、２枚目のナット４を回転させれば、ガラスパネルの前後方向の位置を調節できる。前後方向の位置調節後、押さえ金具７を鍔付きボルト２に締め、押さえ金具７と２枚目のナット４との間でガラスパネルを挟めば、ガラスパネルの前後方向の位置を固定することができる。
【０００６】
このパネル支持装置によれば、複数枚のガラスパネルが面一になるようにガラスパネルの前後方向の位置を調節でき、かつ隣り合うガラスパネル間の間隔が揃うようにガラスパネルの左右方向の位置を調節できる。
【先行技術文献】
【特許文献】
【０００７】
【特許文献１】特開２００９−１５０１９６号公報
【発明の概要】
【発明が解決しようとする課題】
【０００８】
しかしながら、特許文献１に記載のパネル支持装置にあっては、ガラスパネルの左右方向及び前後方向の位置を調節するのに、鍔付きボルト、２枚のナット、押さえ金具を必要とするので、部品点数が増えるという課題がある。
【０００９】
そこで、本発明は、パネルの位置を調節可能な新たな構造のパネル支持装置を提供することを目的とする。
【課題を解決するための手段】
【００１０】
上記課題を解決するために、本発明は、支持部材に支持されるアーム又は支持部材に固定され、ねじを有する軸と、パネルの穴に嵌められ、前記軸が通される長穴を有する挿入体と、前記軸の前記ねじに螺合し、前記パネルを挟む第１及び第２挟み具と、を備えるパネル支持装置である。
【発明の効果】
【００１１】
本発明によれば、軸に螺合し、パネルを挟む第１及び第２挟み具を備えるので、軸方向（例えば前後方向）におけるパネルの位置を調節可能である。また、パネルの穴に嵌められる挿入体が長穴を有するので、長穴の長さ方向（例えば左右方向）におけるパネルの位置を調節可能である。以上のように、軸、第１及び第２挟み具、挿入体によって、パネルの位置を調節できるので、部品点数を減らすことができる。
【図面の簡単な説明】
【００１２】
【図１】本発明の第１の実施形態のパネル支持装置を示す図（図１（ａ）は複数枚のパネルを支持したパネル支持装置の斜視図を示し、図１（ｂ）はパネル支持装置の平面図を示す）である。
【図２】本実施形態のパネル支持装置の分解斜視図である。
【図３】本実施形態のパネル支持装置の詳細図（図３（ａ）は平面図、図３（ｂ）は正面図）である。
【図４】図３（ｂ）のＪ−Ｊ線断面図である。
【図５】図３（ｂ）のＫ−Ｋ線断面図である。
【図６】図３（ｂ）のＡ−Ａ線断面図である。
【図７】パネルの挿入体を軸に嵌めた状態を示す正面図である。
【図８】本発明の第２の実施形態のパネル支持装置を示す垂直断面図である。
【図９】従来のパネル支持装置の斜視図である。
【発明を実施するための形態】
【００１３】
以下、添付図面に基づいて、本発明の実施形態のパネル支持装置を説明する。ただし、本発明のパネル支持装置は、種々の形態で具体化することができ、本明細書に記載される実施形態に限定されるものではない。本実施形態は、明細書の開示を十分にすることによって、当業者が発明の範囲を十分に理解できるようにする意図をもって提供されるものである。
【００１４】
図１は、本発明の第１の実施形態のパネル支持装置１１と、このパネル支持装置１１によって支持される複数枚のガラスパネル１２（以下、単にパネル１２という）と、を示す。以下においては、説明の便宜上、パネル１２を正面から見たときの方向、すなわち図１（ａ）に示す上下、左右及び前後方向を用いて、パネル支持装置１１の構成を説明する。
【００１５】
複数枚のパネル１２は、パネル支持装置１１によって左右方向に連結される。パネル１２は、正面視四角形に形成される。パネル１２は、面一になるように（一平面に配置できるように）前後方向の位置が調節可能である。また、パネル１２は、パネル１２間の間隔が揃うように左右方向の位置が調節可能である。
【００１６】
パネル支持装置１１は、床面に固定される支持部材としての支柱１３と、支柱１３に支持されるアーム１４と、を備える。支柱１３は、複数枚のパネル１２の繋ぎ目に沿うように上下方向に立ち上がる。支柱１３には、上下に２つのアーム１４が取り付けられる。アーム１４は、左右方向に細長く延びる。左右方向に並べられるパネル１２を連結するように、アーム１４が左右一対のパネル１２を支持する。パネル１２は、その四隅がパネル支持装置１１に支持される。
【００１７】
図２は、パネル支持装置１１の分解斜視図を示す。アーム１４の中央部１４ａの前面には、ボルト１５の通し穴１６が形成される。アーム１４の中央部１４ａの背面には、上下一対の位置決めピン１７ａ，１７ｂがねじ込まれる。位置決めピン１７ａ，１７ｂの頭部を支柱１３の穴１３ａ，１３ｂ（図５参照）に嵌めることで、支柱１３に対してアーム１４の上下方向及び左右方向の位置決めがされ、支柱１３に対してアーム１４の回り止めがされる。アーム１４は、ボルト１５によって支柱１３に固定される。
【００１８】
アーム１４は、支柱１３に固定される中央部１４ａから左右に分岐する一対の分岐アーム１４ｂ，１４ｃを有する。左右一対の分岐アーム１４ｂ，１４ｃのそれぞれには、軸１８、第１及び第２挟み具１９，２０、挿入体２１、第１及び第２緩衝材２２，２３が取り付けられる。以下では、左側の分岐アーム１４ｂに取り付けられるこれらの部品を説明する。右側の分岐アーム１４ｃに取り付けられるこれらの部品は、同一の構成であるので、同一の符号を附してその説明を省略する。
【００１９】
軸１８は、分岐アーム１４ｂに溶接等の固定手段によって固定される。軸１８は、筒状に形成される。軸１８の外周面には、第１挟み具１９に螺合する雄ねじ１８ａが形成される。軸１８の外周面の上下には、互いに平行な平坦部１８ｃが形成される。平坦部１８ｃは、軸１８の長さ方向の途中から先端まで至る。軸１８の内周面には、第２挟み具２０に螺合する雌ねじ１８ｂが形成される。
【００２０】
パネル１２の隅には、円形の穴１２ａが形成される。穴１２ａには、円盤状の挿入体２１が嵌められる。穴１２ａの内径と挿入体２１の外径は、同一である。パネル１２の穴１２ａには、隙間無く挿入体２１が嵌められる。
【００２１】
挿入体２１の厚みはパネル１２の厚みよりも僅かに小さい。挿入体２１には、一方向（左右方向）に延びる長穴２１ａが形成される。挿入体２１の長穴２１ａに軸１８を挿入すると、軸１８の平坦部１８ｃが長穴２１ａの側面（図２の上面及び下面）に接する。挿入体２１は、軸１８に対して左右方向に移動可能であるが、軸１８の回りを回転不可能である。
【００２２】
第１挟み具１９は、リング状である。第１挟み具１９の内周面には、軸１８の雄ねじ１８ａに螺合する雌ねじ１９ａが形成される。第１挟み具１９の外周には、円周方向に一定の間隔（例えば１２０度又は９０度）を開けて、引っ掛けスパナ等の工具を引っ掛けるための穴１９ｂが形成される。第１挟み具１９の外径は、挿入体２１の外径よりも大きい。第１挟み具１９は金属製である。
【００２３】
第１緩衝材２２は、第１挟み具１９よりも薄いリング状である。第１緩衝材２２の外径は、第１挟み具１９の外径に略等しい。第１緩衝材２２は、ゴム、樹脂、フェルト等から製造される。第１緩衝材２２には、軸１８が貫通する穴２２ａが形成される。
【００２４】
第２緩衝材２３は、第２挟み具２０の頭部２０ａよりも薄いリング状である。第２緩衝材２３の外径は、第２挟み具２０の頭部２０ａの外径に略等しい。第２緩衝材２３は、ゴム、樹脂、フェルト等から製造される。第２緩衝材２３には、第２挟み具２０の軸２０ｂが貫通する穴２３ａが形成される。
【００２５】
第２挟み具２０は、円盤状の頭部２０ａと、頭部２０ａに一体に固定される軸２０ｂと、を備える。頭部２０ａの外径は、第１挟み具１９の外径に略等しい。頭部２０ａの厚みは、第１挟み具１９の厚みに略等しい。頭部２０ａの外周面には、円周方向に一定の間隔（例えば１２０度又は９０度）を開けて、引っ掛けスパナ等の工具を引っ掛けるための穴２０ｃが形成される。第２挟み具２０は金属製である。第２挟み具２０の軸２０ｂの外周面には、軸１８の雌ねじ１８ｂに螺合する雄ねじが形成される。
【００２６】
図３ないし図７を参照して、パネル支持装置１１の組み立て方法を説明する。まず、図５に示すように、支柱１３にアーム１４を固定する。アーム１４には、位置決めピン１７ａ，１７ｂが取り付けられている。位置決めピン１７ａ，１７ｂを支柱１３の穴１３ａ，１３ｂに嵌め、支柱１３に対してアーム１４を位置決めした後、ボルト１５によってアーム１４を支柱１３に固定する。
【００２７】
次に、図６に示すように、第１挟み具１９を軸１８に螺合させ、第１緩衝材２２を軸１８に嵌める。次に、図７に示すように、パネル１２の穴１２ａ（図７の穴１２ａの二重丸は面取りを示す）に挿入体２１を嵌め、挿入体２１付きのパネル１２を軸１８に嵌める。このとき、軸１８の平坦部１８ｃに挿入体２１の長穴２１ａの側面（上面及び下面）が当接する。次に、図６に示すように、パネル１２との間に第２緩衝材２３を介在させ、第２挟み具２０を軸１８に螺合させる。
【００２８】
ここで、第１挟み具１９を回して、複数枚のパネル１２が面一になるようにパネル１２の前後方向の位置を調節する。そして、軸１８に対して挿入体２１を左右方向にずらして、隣接するパネル１２間の間隔が揃うようにパネル１２の左右方向の位置を調節する。パネル１２の前後方向及び左右方向の位置調節後、第２挟み具２０を軸１８にしっかり締め、第１挟み具１９と第２挟み具２０との間でパネル１２を最終的に固定する。このとき、第１及び第２緩衝材２２，２３が変形し、パネル１２に発生する応力を抑える。
【００２９】
本実施形態のパネル支持装置によれば、以下の効果を奏する。軸１８に螺合し、パネル１２を挟む第１及び第２挟み具１９，２０を備えるので、パネル１２の前後方向の位置を調節可能である。また、パネル１２の穴１２ａに嵌められる挿入体２１が長穴２１ａを有するので、パネル１２の左右方向の位置を調節可能である。
【００３０】
軸１８に挿入体２１を回り止めする平坦部１８ｃを形成するので、パネル１２の穴１２ａを円形にしても挿入体２１が回転するのを防止することができる。パネル１２の穴１２ａを円形にすることができるので、パネル１２の穴１２ａの加工が容易である。
【００３１】
筒状の軸１８が、第１挟み具１９が螺合する雄ねじ１８ａと、第２挟み具２０が螺合する雌ねじ１８ｂと、を備えるので、軸１８の外周面に形成した平坦部１８ｃ以外のねじに第１及び第２挟み具１９，２０を螺合させることができる。
【００３２】
軸１８が支柱１３に支持されるアーム１４に固定されるので、軸１８の位置決め及び固定が容易である。
【００３３】
図８は、本発明の第２の実施形態のパネル支持装置３１の垂直断面図を示す。第１の実施形態では、アーム１４に固定される軸１８が筒状に形成される。そして、軸１８の外周面に第１挟み具１９が螺合する雄ねじ１８ａが形成され、軸１８の内周面に第２挟み具２０が螺合する雌ねじ１８ｂが形成される。これに対して、第２の実施形態では、アーム３２に固定される軸３３が円柱状に形成される。そして、軸３３の基端側の外周面に第１挟み具１９が螺合する第１雄ねじ３３ａが形成され、軸３３の先端側の外周面に第２挟み具３４が螺合する第２雄ねじ３３ｂが形成される。第１挟み具１９、第１緩衝材２２、第２緩衝材２３の構成は、第１の実施形態のパネル支持装置１１と同一なので、同一の符号を附してその説明を省略する。
【００３４】
円柱状の軸３３の第１雄ねじ３３ａには第１挟み具１９が螺合し、第２雄ねじ３３ｂには第２挟み具３４が螺合する。第１雄ねじ３３ａと第２雄ねじ３３ｂとの間には、互いに平行な上下一対の平坦部３３ｃが形成される。この平坦部３３ｃは、第２雄ねじ３３ｂにも至る。平坦部３３ｃがある分、第２雄ねじ３３ｂは不完全ねじとなる。
【００３５】
挿入体３５には、一方向（左右方向）に延びる長穴が形成される。挿入体３５の長穴に軸３３を挿入すると、軸３３の平坦部３３ｃが長穴の側面に接する。
【００３６】
第２挟み具３４は、リング状の頭部３４ａと、頭部３４ａから挿入体３５の円形の凹部３５ａ内に突出する筒状の突出部３４ｂと、を備える。第２挟み具３４の頭部３４ａ及び突出部３４ｂには、有底円筒状の穴３４ｃが形成される。頭部３４ａ及び突出部３４ｂの内周面には、軸３３の第２雄ねじ３３ｂに螺合する雌ねじが形成される。第２挟み具３４に突出部３４ｂを設けることで、頭部３４ａの厚みを厚くすることなく、この雌ねじの長さを長くすることができる。なお、突出部３４ｂを無くすこともできる。
【００３７】
第２の実施形態のパネル支持装置３１でも、第１挟み具１９を回して、パネル１２の前後方向の位置を調節する。そして、軸３３に対して挿入体３５を左右方向にずらして、パネル１２の左右方向の位置を調節する。パネル１２の前後方向及び左右方向の位置調節後、第２挟み具３４を軸３３に締め、第１挟み具１９と第２挟み具３４との間でパネル１２をしっかり挟む。これにより、パネル１２がパネル支持装置３１に固定される。
【００３８】
なお、本発明は上記実施形態に具現化されるのに限られることはなく、本発明の要旨を変更しない範囲で様々な実施形態に変更できる。
【００３９】
上記実施形態では、支柱に支持されるアームに軸を固定しているが、支柱に直接軸を固定することもできる。
【００４０】
上記実施形態では、アームを支柱に固定しているが、支柱に対するアームの上下方向の位置を調節できるように、アームに上下方向に細長い長穴を形成することもできる。
【００４１】
上記実施形態では、軸と挿入体との間で挿入体の回り止めをしているが、パネルと挿入体との間で挿入体の回り止めをすることもできる。例えば、パネルの円形の穴に凸部を形成し、又はパネルの穴を異形の円に形成し、挿入体をパネルの穴と相似の形状にすることによって、挿入体の回り止めをすることができる。
【符号の説明】
【００４２】
１１…パネル支持装置
１２…ガラスパネル（パネル）
１２ａ…穴
１３…支柱（支持部材）
１４…アーム
１８…軸
１８ｃ…平坦部
１９…第１挟み具
２０…第２挟み具
２１…挿入体
２１ａ…長穴
２２…第１緩衝材
２３…第２緩衝材
３１…パネル支持装置
３２…アーム
３３…軸
３３ｃ…平坦部
３４…第２挟み具
３５…挿入体
【図１】
2018087438.tif 000003
【図２】
2018087438.tif 000004
【図３】
2018087438.tif 000005
【図４】
2018087438.tif 000006
【図５】
2018087438.tif 000007
【図６】
2018087438.tif 000008
【図７】
2018087438.tif 000009
【図８】
2018087438.tif 000010
【図９】
2018087438.tif 000011
【手続補正書】
【提出日】平成29年11月6日(2017.11.6)
【手続補正１】
【補正対象書類名】特許請求の範囲
【補正対象項目名】請求項１
【補正方法】変更
【補正の内容】
【請求項１】
支持部材に支持されるアーム又は支持部材に固定され、ねじを有する軸と、
パネルの穴に嵌められ、前記軸が通される位置調節のための長孔を有する挿入体と、
前記軸の前記ねじに螺合し、前記パネルを挟む第１及び第２挟み具と、
を備えるパネル支持装置。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
本発明は、パネルの位置を調節可能な新たな構造のパネル支持装置を提供することを目的とする。
【手続補正４】
【補正対象書類名】明細書
【補正対象項目名】００１０
【補正方法】変更
【補正の内容】
【００１０】
上記課題を解決するために、本発明は、支持部材に支持されるアーム又は支持部材に固定され、ねじを有する軸と、パネルの穴に嵌められ、前記軸が通される位置調節のための長穴を有する挿入体と、前記軸の前記ねじに螺合し、前記パネルを挟む第１及び第２挟み具と、を備えるパネル支持装置である。
【手続補正５】
【補正対象書類名】明細書
【補正対象項目名】００１１
【補正方法】変更
【補正の内容】
【００１１】
本発明によれば、軸に螺合し、パネルを挟む第１及び第２挟み具を備えるので、軸方向（例えば前後方向）におけるパネルの位置を調節可能である。また、パネルの穴に嵌められる挿入体が長穴を有するので、長穴の長さ方向（例えば左右方向）におけるパネルの位置を調節可能である。